(57)【要約】【課題】スタック画像に対して正しくむら補正を行うことができる画像処理装置、画像表示システム、画像処理方法及びむら補正値生成方法等を提供する。【解決手段】複数の画像形成部を用いて生成されるスタック画像のむらを補正する画像処理装置は、スタック画像を構成する各画像の色特性値の比に基づいて生成されたむら補正値を記憶するむら補正値記憶部と、むら補正値記憶部に記憶されるむら補正値を用いて、各画像形成部に対応する画像信号のむら補正処理を行うむら補正処理部とを含む。【選択図】図２
2011150110.tif 000002
【特許請求の範囲】
【請求項１】
複数の画像形成部を用いて生成されるスタック画像のむらを補正する画像処理装置であ
って、
前記スタック画像を構成する各画像の色特性値の比に基づいて生成されたむら補正値を
記憶するむら補正値記憶部と、
前記むら補正値記憶部に記憶される前記むら補正値を用いて、各画像形成部に対応する
画像信号のむら補正処理を行うむら補正処理部とを含むことを特徴とする画像処理装置。
【請求項２】
請求項１において、
前記むら補正値は、
前記スタック画像のむらの補正量を前記各画像の色特性値の比に応じて前記各画像形成
部に分配した補正量に対応することを特徴とする画像処理装置。
【請求項３】
請求項１又は２において、
前記むら補正値は、
前記各画像形成部により形成される黒のべた画像に対する色特性値を基準とした前記各
画像の色特性値の比に基づいて生成されることを特徴とする画像処理装置。
【請求項４】
請求項１乃至３のいずれかにおいて、
前記色特性値は、三刺激値であることを特徴とする画像処理装置。
【請求項５】
請求項１乃至４のいずれかにおいて、
前記むら補正値記憶部に記憶される前記むら補正値に対応したガンマ補正値を記憶する
ガンマ補正値記憶部と、
前記ガンマ補正値記憶部に記憶される前記ガンマ補正値を用いて画像信号を補正するガ
ンマ補正部とを含み、
前記むら補正処理部が、
前記ガンマ補正部によって補正された画像信号に対して、前記むら補正処理を行うこと
を特徴とする画像処理装置。
【請求項６】
請求項１乃至５のいずれかにおいて、
前記各画像の色特性値の比に応じて前記スタック画像のむら補正目標値を分配すること
により、前記各画像形成部に対応するむら補正目標値を算出するむら補正目標値算出部と
、
前記むら補正目標値算出部によって算出された前記各画像形成部に対応するむら補正目
標値に基づいて、前記各画像形成部に対応するむら補正値を生成するむら補正値生成部と
を含み、
前記むら補正値記憶部は、
前記むら補正値生成部によって生成された前記むら補正値を記憶することを特徴とする
画像処理装置。
【請求項７】
各画像形成部が形成した画像を用いて前記スタック画像を表示する前記複数の画像形成
部と、
前記各画像形成部に対応して画像信号のむら補正処理を行い、むら補正処理後の画像信
号を前記各画像形成部に供給する請求項１乃至６のいずれか記載の画像処理装置とを含む
ことを特徴とする画像表示システム。
【請求項８】
複数の画像形成部を用いて生成されるスタック画像のむらを補正する画像処理方法であ
って、
前記スタック画像を構成する各画像の色特性値の比に基づいて生成されたむら補正値を
用いて、各画像形成部に対応する画像信号のむら補正処理を行うむら補正処理ステップと
、
前記むら補正処理ステップにおいて行われた前記むら補正処理後の画像信号を、前記各
画像形成部に供給することを特徴とする画像処理方法。
【請求項９】
請求項８において、
前記むら補正値記憶部に記憶される前記むら補正値に対応したガンマ補正値を用いて画
像信号を補正するガンマ補正ステップを含み、
前記むら補正処理ステップが、
前記ガンマ補正ステップにおいて補正された画像信号に対して、前記むら補正処理を行
うことを特徴とする画像処理方法。
【請求項１０】
請求項８又は９において、
前記むら補正処理ステップは、
前記各画像形成部により形成される黒のべた画像に対する色特性値を基準とした前記ス
タック画像を構成する各画像の色特性値の比に基づいて生成されたむら補正値を用いて、
各画像形成部に対応する画像信号のむら補正処理を行うことを特徴とする画像処理方法。
【請求項１１】
複数の画像形成部を用いて生成されるスタック画像のむらを補正するためのむら補正値
を生成するむら補正値生成方法であって、
前記スタック画像を構成する各画像の色特性値の比に応じて前記スタック画像のむら補
正目標値を分配することにより、各画像形成部に対応するむら補正目標値を算出するむら
補正目標値算出ステップと、
前記むら補正目標値算出ステップにおいて算出された前記各画像形成部に対応するむら
補正目標値に基づいて、前記各画像形成部に対応するむら補正値を生成するむら補正値生
成ステップとを含むことを特徴とするむら補正値生成方法。
【請求項１２】
請求項１１において、
前記各画像形成部により形成される黒のべた画像の色特性値を取得する基準測定値取得
ステップを含み、
前記むら補正目標値算出ステップは、
前記基準測定値取得ステップにおいて取得された前記べた画像の色特性値を基準とした
各画像の色特性値の比に基づいて、前記むら補正目標値を算出することを特徴とするむら
補正値生成方法。
【請求項１３】
請求項１１又は１２において、
前記測定値は、三刺激値であることを特徴とするむら補正値生成方法。
【発明の詳細な説明】
【技術分野】
【０００１】
本発明は、画像処理装置、画像表示システム、画像処理方法及びむら補正値生成方法等
に関する。
【背景技術】
【０００２】
画像表示装置の一種であるプロジェクター（画像投射装置）を複数台用いた表示技術（
以下、「スタック表示技術」という）は、高輝度化や画素ずらしによる高解像度化を図る
技術として知られている。例えば、複数台のプロジェクターから投射される画像を、それ
ぞれの画素の位置が一致するように重ねることで、高輝度の画像を表示することができる
。また、複数台のプロジェクターから投射される画像を、それぞれの画素の位置が１画素
未満（例えば、水平方向及び垂直方向に０．５画素）の所定量だけずれるように表示する
ことで、擬似的に高解像度の画像を表示することができる。以下、このスタック表示技術
によって表示される画像を「スタック画像」と称する。このスタック画像にも、各プロジ
ェクターを構成する光源、ライトバルブやレンズ等のデバイス特性に依存したむら（色む
ら、輝度むら）があり、一般的にプロジェクター毎に補正される。こうしてプロジェクタ
ー毎にむら補正が行われた複数のプロジェクターを用いてスタック表示を行ってもよいが
、より効率的なむら補正を行う技術について種々提案されている。
【０００３】
例えば特許文献１には、プロジェクター毎に色むら補正を行うのではなく、光源色（Ｒ
ＧＢ）毎に合計した強度プロファイルを計算して、スタック画像を表示したスタック状態
で均一になるように色むら補正を行う技術が開示されている。この特許文献１に開示され
た技術によれば、プロジェクター毎に色むらが低減されている必要はなく、個々が不均一
であってもスタック画像の色むらが低減されていればよい。
【０００４】
また例えば特許文献２には、プロジェクターの入出力特性に基づいて、色むらの補正デ
ータを容易に求める技術が開示されている。
【先行技術文献】
【特許文献】
【０００５】
【特許文献１】特開２００５−３５２１７１号公報
【特許文献２】特開２００１−２０９３５８号公報
【発明の概要】
【発明が解決しようとする課題】
【０００６】
しかしながら、特許文献１では、光源色毎に各プロジェクターのプロファイル（むら分
布）の総和を求めた後にスタック状態でのむら補正目標値を求めている（特許文献１の段
落０２１４参照）。そして、ｎ台のプロジェクターのうち１台目のプロジェクターから（
ｎ−１）台目のプロジェクターまでは元の特性を生かしつつ、ｎ台目のプロジェクターで
補正を行うことで、スタック画像のむら補正を実現する。そのため、ｎ台目のプロジェク
ターの補正量が著しく大きくなる可能性があり、その場合には、計算上、マイナス値とな
るような補正量で補正しなければならなくなり、正しく補正することができない。また、
特許文献２には、むら補正のデータを生成する技術について開示されているに過ぎない。
従って、特許文献１及び特許文献２に開示された技術では、スタック画像に対して正しく
むら補正を行うことができないという問題がある。
【０００７】
本発明は、以上のような技術的課題に鑑みてなされたものである。本発明の幾つかの態
様によれば、スタック画像に対して正しくむら補正を行うことができる画像処理装置、画
像表示システム、画像処理方法及びむら補正値生成方法等を提供することができる。
【課題を解決するための手段】
【０００８】
（１）本発明の一態様は、複数の画像形成部を用いて生成されるスタック画像のむらを
補正する画像処理装置が、前記スタック画像を構成する各画像の色特性値の比に基づいて
生成されたむら補正値を記憶するむら補正値記憶部と、前記むら補正値記憶部に記憶され
る前記むら補正値を用いて、各画像形成部に対応する画像信号のむら補正処理を行うむら
補正処理部とを含む。
【０００９】
本態様においては、複数の画像形成部により形成される複数の画像を用いて生成される
スタック画像を構成する各画像の色特性値の比に基づいて生成されたむら補正値を記憶し
、該むら補正値を用いて、各画像形成部に対応する画像信号のむら補正処理を行う。これ
により、１つの画像形成部においてむら補正量が大きくなって正しくむら補正を行うこと
ができない事態を回避でき、各画像形成部に対するむら補正量のバランスをとって正しく
むら補正を行うことができるようになる。
【００１０】
（２）本発明の他の態様に係る画像処理装置では、前記むら補正値は、前記スタック画
像のむらの補正量を前記各画像の色特性値の比に応じて前記各画像形成部に分配した補正
量に対応する。
【００１１】
本態様によれば、例えば１つの画像形成部の面内強度分布のレベルが他の画像形成部の
面内強度分布のレベルより極端に低い場合に、むら補正量を他の画像形成部よりも小さく
できるようになる。その結果、面内強度分布のレベルにばらつきがあった場合でも、すべ
ての画像形成部においてむら補正を正しく行うことができるようになる。
【００１２】
（３）本発明の他の態様に係る画像処理装置では、前記むら補正値は、前記各画像形成
部により形成される黒のべた画像に対する色特性値を基準とした前記各画像の色特性値の
比に基づいて生成される。
【００１３】
本態様によれば、上記の効果に加えて、黒浮きを防止できるようになる。更に、すべて
の階調について一律に、黒のべた画像に対する色特性値を基準とすることで、処理の簡素
化を図ることができる。
【００１４】
（４）本発明の他の態様に係る画像処理装置では、前記色特性値は、三刺激値である。
【００１５】
本態様によれば、上記の効果に加えて、人間の視覚特性に合致した色特性値の比に基づ
いてむら補正値を用いてむら補正を行うことができるので、人間の視覚に合わせた正しい
むら補正が可能となる。
【００１６】
（５）本発明の他の態様に係る画像処理装置は、前記むら補正値記憶部に記憶される前
記むら補正値に対応したガンマ補正値を記憶するガンマ補正値記憶部と、前記ガンマ補正
値記憶部に記憶される前記ガンマ補正値を用いて画像信号を補正するガンマ補正部とを含
み、前記むら補正処理部が、前記ガンマ補正部によって補正された画像信号に対して、前
記むら補正処理を行う。
【００１７】
本態様によれば、むら補正によって色度が変化することなく、むら補正に対応したガン
マ補正値を用いた画像信号の補正により、上記の効果に加えて、所望のガンマ補正が施さ
れた画像の表示に寄与できるようになる。
【００１８】
（６）本発明の他の態様に係る画像処理装置は、前記各画像の色特性値の比に応じて前
記スタック画像のむら補正目標値を分配することにより、前記各画像形成部に対応するむ
ら補正目標値を算出するむら補正目標値算出部と、前記むら補正目標値算出部によって算
出された前記各画像形成部に対応するむら補正目標値に基づいて、前記各画像形成部に対
応するむら補正値を生成するむら補正値生成部とを含み、前記むら補正値記憶部は、前記
むら補正値生成部によって生成された前記むら補正値を記憶する。
【００１９】
本態様によれば、スタック画像を構成する各画像の色特性値の比に応じてスタック画像
のむら補正目標値を分配することにより、各画像形成部に対応するむら補正目標値を算出
してから、該むら補正目標値を用いて各画像形成部に対応するむら補正値を生成するよう
にしたので、各画像形成部に対するむら補正量のバランスをとって正しくむら補正を行う
ことを可能とするむら補正値を容易に生成できるようになる。
【００２０】
（７）本発明の他の態様は、画像表示システムが、各画像形成部が形成した画像を用い
て前記スタック画像を表示する前記複数の画像形成部と、前記各画像形成部に対応して画
像信号のむら補正処理を行い、むら補正処理後の画像信号を前記各画像形成部に供給する
上記のいずれか記載の画像処理装置とを含む。
【００２１】
本態様によれば、スタック画像に対して正しくむら補正を行うことができる画像処理装
置が適用された画像表示システムを提供できるようになる。
【００２２】
（８）本発明の他の態様は、複数の画像形成部を用いて生成されるスタック画像のむら
を補正する画像処理方法が、前記スタック画像を構成する各画像の色特性値の比に基づい
て生成されたむら補正値を用いて、各画像形成部に対応する画像信号のむら補正処理を行
うむら補正処理ステップと、前記むら補正処理ステップにおいて行われた前記むら補正処
理後の画像信号を、前記各画像形成部に供給する。
【００２３】
本態様によれば、複数の画像形成部により形成される複数の画像を用いて生成されるス
タック画像を構成する各画像の色特性値の比に基づいて生成されたむら補正値を用いて、
各画像形成部に対応する画像信号のむら補正処理を行うようにしたので、１つの画像形成
部においてむら補正量が大きくなって正しくむら補正を行うことができない事態を回避で
き、各画像形成部に対するむら補正量のバランスをとって正しくむら補正を行うことがで
きるようになる。
【００２４】
（９）本発明の他の態様に係る画像処理方法は、前記むら補正値記憶部に記憶される前
記むら補正値に対応したガンマ補正値を用いて画像信号を補正するガンマ補正ステップを
含み、前記むら補正処理ステップが、前記ガンマ補正ステップにおいて補正された画像信
号に対して、前記むら補正処理を行う。
【００２５】
本態様によれば、むら補正値に対応したガンマ補正値を用いてガンマ補正を行う用にし
たので、むら補正によって色度が変化することなく、所望のガンマ補正が施された画像の
表示に寄与できるようになる。
【００２６】
（１０）本発明の他の態様に係る画像処理方法では、前記むら補正処理ステップは、前
記各画像形成部により形成される黒のべた画像に対する色特性値を基準とした前記スタッ
ク画像を構成する各画像の色特性値の比に基づいて生成されたむら補正値を用いて、各画
像形成部に対応する画像信号のむら補正処理を行う。
【００２７】
本態様によれば、上記の効果に加えて、黒浮きを防止できるようになる。更に、すべて
の階調について一律に、黒のべた画像に対する色特性値を基準とすることで、処理の簡素
化を図ることができる。
【００２８】
（１１）本発明の他の態様は、複数の画像形成部を用いて生成されるスタック画像のむ
らを補正するためのむら補正値を生成するむら補正値生成方法が、前記スタック画像を構
成する各画像の色特性値の比に応じて前記スタック画像のむら補正目標値を分配すること
により、各画像形成部に対応するむら補正目標値を算出するむら補正目標値算出ステップ
と、前記むら補正目標値算出ステップにおいて算出された前記各画像形成部に対応するむ
ら補正目標値に基づいて、前記各画像形成部に対応するむら補正値を生成するむら補正値
生成ステップとを含む。
【００２９】
本態様によれば、スタック画像を構成する各画像の色特性値の比に応じてスタック画像
のむら補正目標値を分配することにより、各画像形成部に対応するむら補正目標値を算出
してから、該むら補正目標値を用いて各画像形成部に対応するむら補正値を生成するよう
にしたので、各画像形成部に対するむら補正量のバランスをとって正しくむら補正を行う
ことを可能とするむら補正値を容易に生成できるようになる。
【００３０】
（１２）本発明の他の態様に係るむら補正値生成方法は、前記各画像形成部により形成
される黒のべた画像の色特性値を取得する基準測定値取得ステップを含み、前記むら補正
目標値算出ステップは、前記基準測定値取得ステップにおいて取得された前記べた画像の
色特性値を基準とした各画像の色特性値の比に基づいて、前記むら補正目標値を算出する
。
【００３１】
本態様によれば、上記の効果に加えて、黒浮きを防止するむら補正値の生成に寄与でき
るようになる。
【００３２】
（１３）本発明の他の態様に係るむら補正値生成方法では、前記測定値は、三刺激値で
ある。
【００３３】
本態様によれば、上記の効果に加えて、人間の視覚特性に合致した色特性値の比に基づ
いてむら補正値を用いたむら補正に寄与し、人間の視覚に合わせた正しいむら補正値を生
成できるようになる。
【図面の簡単な説明】
【００３４】
【図１】本発明の一実施形態に係る画像表示システムの構成例のブロック図。
【図２】図１の画像処理装置の構成例のブロック図。
【図３】画像処理装置の処理例のフロー図。
【図４】図３のステップＳ２のむら測定処理の処理例のフロー図。
【図５】図３のステップＳ３のむら補正目標値算出処理の処理例のフロー図。
【図６】むら補正目標値算出部の動作説明図。
【図７】図７（Ａ）、図７（Ｂ）は第１の画像表示装置の白の強度分布と第２の画像表示装置の白の強度分布の一例を示す図。
【図８】図８（Ａ）、図８（Ｂ）は図７（Ａ）、図７（Ｂ）の強度分布に対する各画像表示装置のむら補正目標値の例を示す図。
【図９】図９（Ａ）、図９（Ｂ）は従来技術による図７（Ａ）、図７（Ｂ）の強度分布に対する各画像表示装置のむら補正目標値の例を示す図。
【図１０】図３のステップＳ４のむら補正ＬＵＴ生成処理の処理例のフロー図。
【図１１】ＶＴ特性の説明図。
【図１２】図１２（Ａ）、図１２（Ｂ）、図１２（Ｃ）は補正前と補正後の画素位置（ｉ，ｊ）における第１の画像表示装置による投射画像を測定することにより得られる三刺激値の一例を示す図。
【図１３】図１３（Ａ）、図１３（Ｂ）、図１３（Ｃ）は変換後の画素位置（ｉ，ｊ）における補正前後のＲＧＢ値の一例を示す図。
【図１４】図３のステップＳ６のＶＴ特性測定処理の処理例のフロー図。
【図１５】図３のステップＳ７のガンマ補正ＬＵＴ生成処理の処理例のフロー図。
【図１６】図６の黒付近を拡大したむら補正処理部の動作説明図。
【図１７】図１７（Ａ）、図１７（Ｂ）は図１６の黒付近の強度に対するむら補正処理の説明図を示す図。
【図１８】実施形態３における画像表示システムの構成例のブロック図。
【図１９】図１の第１の画像形成部の構成例を示す図。
【発明を実施するための形態】
【００３５】
以下、本発明の実施の形態について図面を用いて詳細に説明する。なお、以下に説明す
る実施の形態は、特許請求の範囲に記載された本発明の内容を不当に限定するものではな
い。また以下で説明される構成のすべてが本発明の課題を解決するために必須の構成要件
であるとは限らない。
【００３６】
以下で説明する実施形態では、２台の画像表示装置を用いてスタック画像を表示する例
について説明するが、３台以上の画像表示装置を用いてスタック画像を表示する場合にも
適用できる。
【００３７】
１．  実施形態１
図１に、本発明の一実施形態に係る画像表示システムの構成例のブロック図を示す。
【００３８】
画像表示システム１０は、複数の画像表示装置による複数の投射画像を重ね合わせるこ
とにより生成されるスタック画像をスクリーンＳＣＲに表示する。この画像表示システム
１０は、第１の画像表示装置（狭義にはプロジェクター）ＰＪ１と、第２の画像表示装置
ＰＪ２と、画像処理装置１００と、画像信号供給装置２００と、むら測定装置３００と、
色度測定装置４００とを含む。
【００３９】
第１の画像表示装置ＰＪ１は、第１の画像形成部（図示せず）を含み、画像処理装置１
００からの画像信号に基づいて第１の画像形成部により形成した画像をスクリーンＳＣＲ
に投射する。より具体的には、第１の画像表示装置ＰＪ１は、光源と、透過型の液晶パネ
ルを用いて構成されるライトバルブと、投射レンズとを含み、画像処理装置１００からの
画像信号に基づいて、光源からの光をライトバルブにより色成分毎に変調し、変調後の光
を投射レンズでスクリーンＳＣＲに投射する。同様に、第２の画像表示装置ＰＪ２は、第
２の画像形成部（図示せず）を含み、画像処理装置１００からの画像信号に基づいて第２
の画像形成部により形成した画像をスクリーンＳＣＲに投射する。このとき、第２の画像
表示装置ＰＪ２により投射される画像が、スクリーンＳＣＲにおいて、第１の画像表示装
置ＰＪ２により投射された画像と重なるように、各画像表示装置が設置される。第２の画
像表示装置ＰＪ２の構成は、第１の画像表示装置ＰＪ１の構成と同様である。
【００４０】
画像処理装置１００は、画像信号供給装置２００から供給される入力画像信号に対して
各画像表示装置に対応するむら補正処理を行い、むら補正処理後の画像信号を各画像表示
装置に出力する。
【００４１】
画像信号供給装置２００は、ＤＶＤ（Digital Versatile Disc）装置やパーソナルコン
ピュータ（Personal Computer：ＰＣ）等によって構成され、画像信号を画像処理装置１
００に供給する。また、画像信号供給装置２００は、後述するむら測定時においてＲＧＢ
の各色成分の階調値が等しいグレイ、又はＲＧＢの１つの色成分の階調値のみを有する（
他の色成分の階調値が０）ＲＧＢカラーのべた画像に対応した画像信号を画像処理装置１
００に供給することができる。更に、画像信号供給装置２００は、後述するＶＴ特性測定
においてグレイのべた画像（グレイ画像）に対応した画像信号を画像処理装置１００に供
給することができる。
【００４２】
むら測定装置３００は、ＣＣＤ（Charge Coupled Device）センサー等の２次元イメー
ジセンサーであり、スクリーンＳＣＲに投射された画像を測定できるように設置されてい
る。むら測定装置３００は、むら測定時において各画像表示装置によってスクリーンＳＣ
Ｒに表示されるグレイ画像及びＲＧＢの０％〜１００％の中間調を含むべた画像を撮影す
る。そして、むら測定装置３００は、色特性値としてＣＩＥ  １９３１表色系のＸＹＺ三
刺激値の面内分布（強度分布）情報を取得する。このようなむら測定装置３００としては
、ｘｙｚ等色関数近似の分光感度を持つフィルターを用いて撮影し、マトリクス補正演算
によりＸＹＺ三刺激値を得るもの（例えば、Ｒａｄｉａｎｔ  Ｉｍａｇｉｎｇ社のＰｒｏ
Ｍｅｔｒｉｃ等）がある。こうして画像表示装置毎にむら測定装置３００によって取得さ
れた面内分布情報は、むら測定値である色特性値（輝度・色度の強度分布）として、画像
処理装置１００に送られる。なお、むら測定装置３００による測定処理は、画像処理装置
１００による制御によって行われてもよい。
【００４３】
ここで、特許文献１との対比において、実施形態１の有利な点の１つを説明する。特許
文献１では、１台のプロジェクターにより表示された画像に対する光検出装置等の光強度
分布測定手段によるＲＧＢ光源毎の測定値から、むらなく実現可能な白の最大輝度を、光
源色毎に求め（特許文献１の段落０１３１〜０１３６）、それを光源色同士で比較して（
特許文献１の段落０１３７〜０１４１）、最終的な白の目標輝度を定めている。そして、
これを複数台のプロジェクターに拡張し、むらなく実現可能な白の最大輝度を、スタック
された光源毎に求め、それを光源色（ＲＧＢ）同士で比較して（特許文献１の段落０２１
４）、最終的なスタック状態での白の目標輝度を定めている。
【００４４】
ところが、特許文献１では、複数のプロジェクター間で光源色の特性がおおよそ同じで
あることを前提にしている（特許文献１の段落００３３）。ここで、同じＲ同士であって
もプロジェクター間で分光特性が大きく異なる場合には、Ｒ同士を加算しても意味がない
。例えば、１つのプロジェクターのＧとＲの波長間に他のプロジェクターのＲが存在した
り、１つのプロジェクターがレーザ光源、他のプロジェクターがＵＨＰ（Ultra High Per
formance）ランプであったりする場合、Ｒ同士を加算することの意味がない。このように
、光検出装置等の波長感度特性が、人間の視覚特性（等色関数）と大きく異なる場合には
、光検出装置等の出力は元来人間の視覚と異なるものとなる。従って、分光感度が大きく
異なるプロジェクター同士のスタックを考慮すると、光源色（ＲＧＢ）毎のむら分布を求
めるより図１に示すように人間の視覚特性に合致した（等色関数に準拠した）センサーを
用いてＸＹＺ三刺激値の面内分布を直接的に測定することが望ましい。
【００４５】
図１において、色度測定装置４００は、色彩計であり、スクリーンＳＣＲに投射された
画像の中央部を測定できるように設置されている。色度測定装置４００は、むら補正処理
の結果、微妙にずれる可能性があるガンマ補正の精度を高めるため、新たにガンマ補正値
を生成するための色度測定値を取得する。色度測定装置４００は、測定時において例えば
各画像表示装置によってスクリーンに表示されたグレイ画像に対して測定する。このよう
な色度測定装置４００として、プリズム分光とリニアアレイセンサーによる分光色彩輝度
計（例えば、Ｐｈｏｔｏ  Ｒｅｓｅａｒｃｈ社のＰＲ−７０５等）やＸＹＺフィルターと
フォトセルによる色彩照度計（例えば、コニカミノルタ社のＣＬ−２００等）等の点測定
色彩計がある。こうして、画像表示装置毎に色度測定装置４００によって取得されたＸＹ
Ｚ三刺激値が、色度測定値として画像処理装置１００に送られる。この色度測定装置４０
０による測定は、むら測定装置３００による測定結果を反映したむら補正処理後の画像に
対して行う。なお、色度測定装置４００による測定処理は、画像処理装置１００による制
御によって行われてもよい。
【００４６】
画像処理装置１００は、むら測定装置３００によって取得された各画像表示装置の色特
性値（むら測定値、強度分布）の比に応じて、スタック画像のむら補正量を各画像表示装
置において形成される画像のむら補正量を分配する。より具体的には、画像処理装置１０
０は、むら測定値の比に応じて各画像処理装置のむら補正目標値を求め、該むら補正目標
値に対応したむら補正値を画像表示装置毎に求める。ここで、色特性値として、三刺激値
の他に、例えば心理物理量、光強度、画像測定値、測色値等の画像を測定することにより
得られる物理量を採用してもよい。
【００４７】
こうして、画像処理装置１００は、画像表示装置毎に分配された補正量に対応したむら
補正値を用いて、画像信号供給装置２００からの入力画像信号に対して画像表示装置毎に
むら補正処理を行い、むら補正処理後の画像信号を各画像表示装置に供給する。このとき
、画像処理装置１００は、むら補正処理後の画像に対して色度測定装置４００により測定
された結果を反映させたガンマ補正を行うことで、むら補正処理による色度の変化に対応
した画像の表示が可能となる。このような画像処理装置１００は、図示しない中央演算処
理装置（Central Processing Unit：以下、ＣＰＵ）及びメモリーを有し、該メモリーに
格納されたプログラムを読み込んだＣＰＵが該プログラムに対応した処理を実行すること
で、上記のむら補正処理を実現することができる。或いは、画像処理装置１００の機能は
、ＡＳＩＣ（Application Specific Integrated Circuit）等のロジック回路により実現
されてもよい。
【００４８】
なお、図１において、画像表示システム１０は、これらの少なくとも１つが省略された
構成を有していてもよい。また、図１において、画像処理装置１００の機能が、第１の画
像表示装置ＰＪ１及び第２の画像表示装置ＰＪ２の一方に内蔵されていてもよい。
【００４９】
〔画像処理装置〕
図２に、図１の画像処理装置１００の構成例のブロック図を示す。図２は、画像処理装
置１００の他に、画像信号供給装置２００、むら測定装置３００、色度測定装置４００、
第１の画像表示装置ＰＪ１及び第２の画像表示装置ＰＪ２を合わせて示す。なお、図２に
おいて、図１と同一部分には同一符号を付し、適宜説明を省略する。
【００５０】
画像処理装置１００は、むら補正ルックアップテーブル（Look-Up Table：以下、ＬＵ
Ｔ）記憶部（広義には、むら補正値記憶部）１１０と、むら補正処理部１２０とを含む。
更に画像処理装置１００は、画像補正部１３０と、ガンマ補正ＬＵＴ記憶部（ガンマ補正
値記憶部）１４０と、ガンマ補正部１５０とを含むことができる。
【００５１】
画像補正部１３０は、画像信号供給装置２００からの入力画像信号に対して、所望の階
調再現又は色再現のための公知のコントラスト補正等を行う。ガンマ補正ＬＵＴ記憶部１
４０は、ガンマ補正を行うためのガンマ補正値がテーブル化されたガンマ補正ＬＵＴを記
憶する。ガンマ補正部１５０は、ガンマ補正ＬＵＴ記憶部１４０に記憶されたガンマ補正
ＬＵＴを参照し、画像補正部１３０によって補正された画像信号に対して、各画像表示装
置のＶＴ特性に対応したガンマ補正（ガンマ２．２）を行う。
【００５２】
むら補正ＬＵＴ記憶部１１０には、画像表示装置（より具体的には画像表示装置が含む
画像形成部）毎に生成されたむら補正値がテーブル化されたむら補正ＬＵＴが画像表示装
置毎に記憶される。むら補正ＬＵＴ記憶部１１０に記憶されるむら補正値は、第１の画像
表示装置ＰＪ１及び第２の画像表示装置ＰＪ２により生成されるスタック画像のむらの補
正量を、該スタック画像を構成する各画像の色特定値（むら測定値）の比に応じて各画像
表示装置に分配した補正量に対応している。むら補正処理部１２０は、むら補正ＬＵＴ記
憶部１１０に記憶される各画像表示装置に対応するむら補正値を用いて、ガンマ補正部１
５０によるガンマ補正後の各画像表示装置に対応する画像信号のむら補正処理を行う。
【００５３】
むら補正ＬＵＴは、例えば画像内の画素位置（ｉ，ｊ）における階調値Ｋｉｊ（例えば
グレイ階調値）の補正量（ΔＫＲｉｊ，ΔＫＧｉｊ，ΔＫＢｉｊ）に対応した補正値を、
画素位置毎に、且つ、階調値毎に用意したものである。このとき、入力画像信号の画素位
置（ｉ，ｊ）における画素値（Ｒｉｊ，Ｇｉｊ，Ｂｉｊ）に対するむら補正処理部１２０
による補正後の画像信号の画素値（Ｒｉｊ´，Ｇｉｊ´，Ｂｉｊ´）は、次のようになる
。
Ｒｉｊ´＝Ｒｉｊ＋ΔＫＲｉｊ      ・・・（１）
Ｇｉｊ´＝Ｇｉｊ＋ΔＫＧｉｊ      ・・・（２）
Ｂｉｊ´＝Ｂｉｊ＋ΔＫＢｉｊ      ・・・（３）
【００５４】
このように、むら補正処理部１２０は、画像信号供給装置２００からの入力画像信号に
基づいて、画像の面内位置及び階調に応じてむら補正ＬＵＴを参照し、各画像表示装置に
対応するむら補正処理を行う。このとき、むら補正処理部１２０は、補正ＬＵＴの格子点
間を、公知の線形補間等により補間してむら補正処理を行う。
【００５５】
むら補正処理部１２０による第１の画像表示装置ＰＪ１に対応したむら補正処理後の画
像信号は、第１の画像表示装置ＰＪ１（より具体的には、第１の画像形成部）に出力され
る。むら補正処理部１２０による第２の画像表示装置ＰＪ２に対応したむら補正処理後の
画像信号は、第２の画像表示装置ＰＪ２（より具体的には、第２の画像形成部）に出力さ
れる。
【００５６】
むら補正ＬＵＴ記憶部１１０に記憶されるむら補正値は、画像処理装置１００において
生成してもよい。この場合には、画像処理装置１００は、更に、むら補正目標値算出部１
６０と、むら補正ＬＵＴ生成部（広義には、むら補正値生成部）１７０とを含むことがで
きる。むら補正目標値算出部１６０は、むら測定装置３００によって測定された各画像表
示装置による画像の色特性値の比（各画像の強度分布の比）に応じてスタック画像のむら
補正目標値を分配することにより、各画像表示装置に対応するむら補正目標値を算出する
。むら補正むら補正ＬＵＴ生成部１７０は、むら補正目標値算出部１６０によって算出さ
れた各画像表示装置に対応するむら補正目標値に基づいて、各画像表示装置に対応するむ
ら補正値を生成する。むら補正ＬＵＴ生成部１７０によって生成されたむら補正値がテー
ブル化され、むら補正ＬＵＴ記憶部１１０において画像表示装置毎に記憶される。
【００５７】
また、上記のむら補正により色度が変化する場合には、ガンマ補正を再調整することが
望ましい。この場合には、画像処理装置１００は、更に、ガンマ補正ＬＵＴ生成部１８０
を含み、色度測定装置４００によって取得された色度測定値に基づいて、ガンマ補正ＬＵ
Ｔ生成部１８０が、画像表示装置毎にガンマ補正値を求め、該ガンマ補正値をテーブル化
したガンマ補正ＬＵＴを生成する。ガンマ補正ＬＵＴ記憶部１４０には、ガンマ補正ＬＵ
Ｔ生成部１８０によって生成されたガンマ補正ＬＵＴが記憶される。
【００５８】
〔処理例〕
図３に、画像処理装置１００の処理例のフロー図を示す。画像処理装置１００が図３の
処理をソフトウェア処理で実現する場合には、画像処理装置１００が内蔵するメモリーに
下記の処理を実現するプログラムが格納され、該プログラムを読み込んだＣＰＵが該プロ
グラムに対応した処理を実行する。
図４に、図３のステップＳ２のむら測定処理の処理例のフロー図を示す。画像処理装置
１００が図４の処理をソフトウェア処理で実現する場合には、画像処理装置１００が内蔵
するメモリーに下記の処理を実現するプログラムが格納され、該プログラムを読み込んだ
ＣＰＵが該プログラムに対応した処理を実行する。
【００５９】
画像処理装置１００は、各画像表示装置の本来の特性を測定するため、画像補正部１３
０、ガンマ補正部１５０及びむら補正処理部１２０の動作を停止する（ステップＳ１）。
これにより、画像処理装置１００においては、画像補正部１３０において行われる画像補
正、ガンマ補正部１５０において行われるガンマ補正、及びむら測定処理部１２０におい
て行われるむら補正が停止される。次に、画像処理装置１００は、むら測定装置３００を
制御し、むら測定装置３００の測定結果である面内強度分布をむら測定値（色特性値）と
して画像表示装置毎に取得する（ステップＳ２）。
【００６０】
ステップＳ２では、まず、画像表示装置毎に、グレイ及びＲＧＢカラーの各階調の全画
面のべた画像の１つをスクリーンＳＣＲに投射させる（ステップＳ２１）。この状態で、
画像処理装置１００は、むら測定装置３００により面内強度分布を測定する制御を行い、
むら測定値として取得する（ステップＳ２２）。その後、全測定が終了していないとき（
ステップＳ２３：Ｎ）、画像処理装置１００は、ステップＳ２１に戻って、次のべた画像
をスクリーンＳＣＲに投射させる。こうして、グレイ及びＲＧＢカラーの各階調の全画面
のべた画像の各々についてむら測定値が取得される（ステップＳ２３：Ｙ）と、画像処理
装置１００は、ステップＳ２の処理を終了する。
【００６１】
続いて、画像処理装置１００は、むら補正目標値算出部１６０において、ステップＳ２
で取得された画像表示装置毎の各階調のむら測定値からスタック状態でのむら補正目標値
（ＸＹＺ目標値）を階調毎に算出した後、画像表示装置毎にむら補正目標値（目標ＸＹＺ
値）を算出する（ステップＳ３）。そして、画像処理装置１００は、むら補正ＬＵＴ生成
部１７０において、画像表示装置毎のむら測定値とむら補正目標値（目標ＸＹＺ値）とに
基づいて、画像表示装置毎にむら補正ＬＵＴを生成する（ステップＳ４）。ここでは、む
ら補正目標値を出力するための入力ＲＧＢ値を、各画像表示装置のＶＴ特性を探索して求
める。
【００６２】
次に、画像処理装置１００は、ガンマ補正ＬＵＴを再作成するための処理を行う。即ち
、画像処理装置１００は、むら補正処理部１２０の動作を開始する（ステップＳ５）。こ
れにより、画像処理装置１００においては、むら測定処理部１２０において行われるむら
補正が開始され、ステップＳ４で生成されたむら補正ＬＵＴを用いてガンマ補正ＬＵＴの
生成処理が行われる。例えば画像処理装置１００は、色度測定装置４００を制御して、む
ら補正が動作している状態の各画像表示装置のＶＴ特性の測定結果である色度測定値を取
得する（ステップＳ６）。この結果、むら補正処理によって変化した色度に対応したガン
マ補正を行うことができるようになる。なお、ステップＳ６では、むらの測定階調数より
も多い測定階調数（例えば２倍程度）で、ＶＴ特性を測定することで、ガンマ補正におい
て滑らかな階調を得ることができるようになる。
【００６３】
ステップＳ６に続いて、画像処理装置１００は、ガンマ補正ＬＵＴ生成部１８０におい
て、目標のガンマ特性や色度を出力するための入力ＲＧＢ値を、各画像表示装置のＶＴ特
性を探索して求めて、ガンマ補正ＬＵＴを生成する（ステップＳ７）。
【００６４】
最後に、画像処理装置１００は、画像補正部１３０及びガンマ補正部１５０の動作を開
始し（ステップＳ８）、一連の処理を終了する（エンド）。これにより、画像処理装置１
００においては、画像補正部１３０において行われる画像補正、ガンマ補正部１５０にお
いて行われるガンマ補正、及びむら測定処理部１２０において行われるむら補正が行われ
る。
【００６５】
〔むら補正目標値算出処理〕
図５に、図３のステップＳ３のむら補正目標値算出処理の処理例のフロー図を示す。画
像処理装置１００が図５の処理をソフトウェア処理で実現する場合には、画像処理装置１
００が内蔵するメモリーに下記の処理を実現するプログラムが格納され、該プログラムを
読み込んだＣＰＵが該プログラムに対応した処理を実行する。
【００６６】
むら補正目標値算出部１６０において行われるむら補正目標値算出処理では、ＸＹＺ三
刺激値のそれぞれについて、第１の画像表示装置ＰＪ１及び第２の画像表示装置ＰＪ２の
合算を行ってむら補正目標値を算出する。以下では、第１の画像表示装置ＰＪ１において
取得されたむら測定値であるＸＹＺ三刺激値のいずれかをＰ１、第２の画像表示装置ＰＪ
２において取得されたむら測定値であるＸＹＺ三刺激値のいずれかをＰ２とする。そして
、Ｐ１、Ｐ２や後述するＰｔａｒｇｅｔ等の「Ｐ」は、ＸＹＺ三刺激値のＸ、Ｙ、Ｚのい
ずれかを示すものとする。
【００６７】
むら補正目標値算出部１６０は、黒から白の各階調について、第１の画像表示装置ＰＪ
１の画像に対してステップＳ２で取得されたむら測定値であるＸＹＺ三刺激値と、第２の
画像表示装置ＰＪ２の画像に対してステップＳ２で取得されたむら測定値であるＸＹＺ三
刺激値とを合算する（ステップＳ３１）。
【００６８】
次に、むら補正目標値算出部１６０は、スタック状態でのむら補正目標値を算出する（
ステップＳ３２）。ここで、白のむら補正は、明るさを低下させる方向に補正せざるを得
ないため、画像内の強度分布中の最低強度を基準に補正を行う。一方、黒のむら補正は、
明るさを増大させる方向に補正せざるを得ないため、画像内の強度分布中の最高強度を基
準に補正を行う。また、中間調については、むら補正目標値算出部１６０は、例えば次の
ように補正する。
【００６９】
図６に、むら補正目標値算出部１６０の動作説明図を示す。図６は、横軸に階調、縦軸
に強度（刺激値Ｘ、Ｙ、Ｚのいずれか）を表す。
【００７０】
例えばスタック状態での白、中間調、黒の画面中央の補正前の強度（刺激値）がそれぞ
れＰｗ、Ｐ、Ｐｋであり、スタック状態での白と黒のむら補正目標値Ｐｗｔ、Ｐｋｔであ
るものとすると、スタック状態での中間調のむら補正目標値Ｐｔは、次の式から求められ
る。
（Ｐｗ−Ｐ）：（Ｐ−Ｐｋ）＝（Ｐｗｔ−Ｐｔ）：（Ｐｔ−Ｐｋｔ）    ・・・（４）
【００７１】
式（４）に従ってむら補正目標値を定めることで、コントラストが低下するものの、黒
から白の全階調において、むら補正を行うことができるようになる。
【００７２】
以下では、白について説明するが、他の階調についても同様である。
【００７３】
図７（Ａ）、図７（Ｂ）に、第１の画像表示装置ＰＪ１の白の強度分布と第２の画像表
示装置ＰＪ２の白の強度分布の一例を示す。図７（Ａ）、図７（Ｂ）は、画素位置ｘをパ
ラメーターとする各画像表示装置の白の強度分布特性を一次元で表現しており、第１の画
像表示装置ＰＪ１の強度分布をＰ１（ｘ）、第２の画像表示装置ＰＪ２の強度分布をＰ２
（ｘ）と表す。なお、図７（Ａ）は、第１の画像表示装置ＰＪ１及び第２の画像表示装置
ＰＪ２の各画像の強度分布の差が所定範囲内である場合を表し、図７（Ｂ）は第１の画像
表示装置ＰＪ１及び第２の画像表示装置ＰＪ２の各画像の強度分布の差が極端に大きい場
合を表す。
【００７４】
スタック状態でのむら補正目標値をＰｔａｒｇｅｔ（ｘ）、第１の画像表示装置ＰＪ１
のむら補正目標値をＰ１ｔａｒｇｅｔ（ｘ）、第２の画像表示装置ＰＪ２のむら補正目標
値をＰ２ｔａｒｇｅｔ（ｘ）とする。Ｐ１ｔａｒｇｅｔ（ｘ）は、Ｐｔａｒｇｅｔ（ｘ）
とＰ１（ｘ）とにより定まる。Ｐ２ｔａｒｇｅｔ（ｘ）は、Ｐｔａｒｇｅｔ（ｘ）とＰ２
（ｘ）とにより定まる。ここで、面内のむら補正目標値を平坦にするものとすると、Ｐｔ
ａｒｇｅｔ（ｘ）は、図７（Ａ）、図７（Ｂ）に示すように（Ｐ１＋Ｐ２）の面内最小値
Ｐｍｉｎと等しくなる。
Ｐｔａｒｇｅｔ（ｘ）＝ｍｉｎ（Ｐ１（ｘ）＋Ｐ２（ｘ））      ・・・（５）
【００７５】
上記のようにスタック状態でのむら補正目標値が算出されると、むら補正目標値算出部
１６０は、ステップＳ３２に続いて、各画像表示装置に対応するむら補正目標値を算出し
（ステップＳ３３）、一連の処理を終了する。
【００７６】
むら補正目標値算出部１６０は、スタック画像のむらの補正量を各画像表示装置の色特
性値（強度）の比に応じて分配することにより、各画像表示装置に対応するむら補正目標
値Ｐ１ｔａｒｇｅｔ（ｘ）、Ｐ２ｔａｒｇｅｔ（ｘ）を算出する。より具体的には、むら
補正目標値算出部１６０は、スタック状態での補正目標値Ｐｔａｒｇｅｔと、Ｐ１とＰ２
の強度の和（Ｐ１＋Ｐ２）との差（Ｐｔａｒｇｅｔ−（Ｐ１＋Ｐ２））を、各画像表示装
置の色特性値の比に応じて分配する。即ち、各画像表示装置の色特性値の比に基づいて、
むら補正目標値Ｐｔａｒｇｅｔを分配することになる。
Ｐ１ｔａｒｇｅｔ（ｘ）＝Ｐ１（ｘ）＋（Ｐｔａｒｇｅｔ（ｘ）−（Ｐ１（ｘ）＋Ｐ２
（ｘ）））×Ｐ１（ｘ）／（Ｐ１（ｘ）＋Ｐ２（ｘ））
＝Ｐ１（ｘ）／（Ｐ１（ｘ）＋Ｐ２（ｘ））×Ｐｔａｒｇｅｔ（ｘ）  ・・・（６）
Ｐ２ｔａｒｇｅｔ（ｘ）＝Ｐ２（ｘ）＋（Ｐｔａｒｇｅｔ（ｘ）−（Ｐ１（ｘ）＋Ｐ２
（ｘ）））×Ｐ２（ｘ）／（Ｐ１（ｘ）＋Ｐ２（ｘ））
＝Ｐ２（ｘ）／（Ｐ１（ｘ）＋Ｐ２（ｘ））×Ｐｔａｒｇｅｔ（ｘ）  ・・・（７）
【００７７】
図８（Ａ）、図８（Ｂ）に、図７（Ａ）、図７（Ｂ）の強度分布に対する各画像表示装
置のむら補正目標値の例を示す。図８（Ａ）は、図７（Ａ）の強度分布に対する各画像表
示装置のむら補正目標値Ｐ１ｔａｒｇｅｔ（ｘ）、Ｐ２ｔａｒｇｅｔ（ｘ）を表す。図８
（Ｂ）は、図７（Ｂ）の強度分布に対する各画像表示装置のむら補正目標値Ｐ１ｔａｒｇ
ｅｔ（ｘ）、Ｐ２ｔａｒｇｅｔ（ｘ）を表す。
【００７８】
図８（Ａ）、図８（Ｂ）に示すように、各画像表示装置の画像の強度分布の差にかかわ
らず、第１の画像表示装置ＰＪ１におけるむら補正量と第２の画像表示装置ＰＪ２におけ
るむら補正量のバランスがとれており、一方の画像表示装置だけむら補正量が大きくなる
ことはない。例えば、図８（Ｂ）では、第１の画像表示装置ＰＪ１より強度分布が低い第
２の画像表示装置ＰＪ２の補正量が、第１の画像表示装置ＰＪ１の補正量よりも小さくな
っている。
【００７９】
これに対して、特許文献１に開示された方法を用いてむら補正目標値を求めると、次の
ようになる。
【００８０】
図９（Ａ）、図９（Ｂ）に、従来技術による図７（Ａ）、図７（Ｂ）の強度分布に対す
る各画像表示装置のむら補正目標値の例を示す。図９（Ａ）は、図７（Ａ）の強度分布に
対する各画像表示装置のむら補正目標値Ｐ１ｔａｒｇｅｔ（ｘ）、Ｐ２ｔａｒｇｅｔ（ｘ
）を表す。図９（Ｂ）は、図７（Ｂ）の強度分布に対する各画像表示装置のむら補正目標
値Ｐ１ｔａｒｇｅｔ（ｘ）、Ｐ２ｔａｒｇｅｔ（ｘ）を表す。
【００８１】
この場合、第１の画像表示装置ＰＪ１の強度分布を固定した状態で、第２の画像表示装
置ＰＪ２の強度分布を調整することで、むら補正が行われる。従って、第１の画像表示装
置ＰＪ１及び第２の画像表示装置ＰＪ２の各々に対するむら補正目標値は、次式のように
表すことができる。
Ｐ１ｔａｒｇｅｔ（ｘ）＝Ｐ１（ｘ）                  ・・・（８）
Ｐ２ｔａｒｇｅｔ（ｘ）＝Ｐｔａｒｇｅｔ（ｘ）−Ｐ１（ｘ）        ・・・（９）
【００８２】
例えば図９（Ａ）では、各画像表示装置に対応するむら補正目標値は、正の値をとるた
め正しくむら補正を行うことができる。ところが、一方の画像表示装置の強度分布が他方
の画像表示装置の強度分布と比較して極端に低い場合には、図７（Ｂ）に示すように、第
２の画像表示装置ＰＪ２に対するむら補正量がマイナス方向に大きくなり、Ｐ２ｔａｒｇ
ｅｔ（ｘ）が負の値となる。これは、第２の画像表示装置ＰＪ２では、補正を正しく行う
ことができず、スタック画像のむら補正を正しく行うことができないことを意味する。
【００８３】
一方、実施形態１では、図８（Ｂ）に示すように、一方の画像表示装置の強度分布が他
方の画像表示装置の強度分布と比較して極端に低い場合でも、むら補正目標値Ｐ２ｔａｒ
ｇｅｔ（ｘ）が負になることはない。これにより、実施形態１によれば、スタック画像の
むら補正を正しく行うことができるようになる。
【００８４】
なお、実施形態１では、スタック状態でのむら補正目標値が面内で平坦となるように生
成したが、面内の中央を明るくし、周辺を暗くするようにむら補正目標値を定めてもよい
。
【００８５】
〔むら補正ＬＵＴ生成処理〕
図１０に、図３のステップＳ４のむら補正ＬＵＴ生成処理の処理例のフロー図を示す。
画像処理装置１００が図１０の処理をソフトウェア処理で実現する場合には、画像処理装
置１００が内蔵するメモリーに下記の処理を実現するプログラムが格納され、該プログラ
ムを読み込んだＣＰＵが該プログラムに対応した処理を実行する。
【００８６】
図３のステップＳ３において上記のようにむら補正目標値が算出されると、むら補正Ｌ
ＵＴ生成部１７０は、画像表示装置毎の強度分布とむら補正目標値（目標ＸＹＺ値）から
、画像表示装置毎にむら補正ＬＵＴを生成する。
【００８７】
まず、むら補正ＬＵＴ生成部１７０は、予め決められた画面内の画素位置及び階調に対
応したＬＵＴ格子点の中から１つの画素位置における階調を設定する（ステップＳ４１）
。次に、むら補正ＬＵＴ生成部１７０は、ステップＳ４１において設定された画素位置に
おける階調に対応したＶＴ特性を探索して、むら補正ＬＵＴとして設定されるむら補正値
を決定する処理を行う（ステップＳ４２）。
【００８８】
図１１に、ＶＴ特性の説明図を示す。図１１は、横軸に階調値に対応した電圧Ｖ、縦軸
に輝度Ｙに対応した透過率Ｔを表す。
【００８９】
実施形態１において、液晶パネルがライトバルブとして用いられる各画像表示装置につ
いて、中間階調域では出力を（Ａ）だけ補正するための補正量は（Ｂ）である。ところが
、低階調域や高階調域では出力を（Ｃ）だけ補正するための補正量（Ｄ）が大きくなる。
むら補正ＬＵＴ生成部１７０は、図１１に示すようにＶＴ特性を考慮して、むら補正ＬＵ
Ｔを生成する。
【００９０】
ステップＳ４２に続いて、むら補正ＬＵＴ生成部１７０は、ＬＵＴ格子点の全画素位置
及び全階調についてむら補正値が決定されていないとき（ステップＳ４３：Ｎ）、ステッ
プＳ４１に戻り、次のむら補正値を決定する処理を繰り返す。こうして、むら補正ＬＵＴ
生成部１７０は、ＬＵＴ格子点の全画素位置及び全階調についてむら補正値を決定し、む
ら補正値をテーブル化したむら補正ＬＵＴを生成する。
【００９１】
図１２（Ａ）、図１２（Ｂ）、図１２（Ｃ）に、補正前と補正後の画素位置（ｉ，ｊ）
における第１の画像表示装置ＰＪ１による投射画像を測定することにより得られる三刺激
値の一例を示す。図１２（Ａ）は、刺激値Ｘの測定結果を表す。図１２（Ｂ）は、刺激値
Ｙの測定結果を表す。図１２（Ｃ）は、刺激値Ｚの測定結果を表す。図１２（Ａ）〜図１
２（Ｃ）において、横軸に階調値、縦軸に刺激値Ｘ、Ｙ、Ｚのいずれかを表す。
【００９２】
以下では、補正前の三刺激値を（Ｘ１，Ｙ１，Ｚ１）、むら補正目標値に対応する三刺
激値を（Ｘ１ｔ，Ｙ１ｔ，Ｚ１ｔ）とする。図１２（Ａ）において、補正前の刺激値Ｘを
プロットしたものがＦＸ１（Ｋｉｊ）であり、むら補正目標値Ｘ１ｔをプロットしたもの
がＦＸ１ｔ（Ｋｉｊ）である。図１２（Ｂ）において、補正前の刺激値Ｙをプロットした
ものがＦＹ１（Ｋｉｊ）であり、むら補正目標値Ｙ１ｔをプロットしたものがＦＹ１ｔ（
Ｋｉｊ）である。図１２（Ｃ）において、補正前の刺激値ＺをプロットしたものがＦＺ１
（Ｋｉｊ）であり、むら補正目標値Ｚ１ｔをプロットしたものがＦＺ１ｔ（Ｋｉｊ）であ
る。図１２（Ａ）〜図１２（Ｃ）に示す特性曲線に従って、むら補正ＬＵＴ生成部１７０
は、所望のむら補正目標値を得るための入力値を求め、該入力値を得るための補正量に対
応したむら補正値を求めることになる。
【００９３】
図１２（Ａ）〜図１２（Ｃ）に示す特性曲線が得られると、むら補正ＬＵＴ生成部１７
０は、公知のＸＹＺ／ＲＧＢ変換行列Ｍ−１を用いて、図１２（Ａ）〜図１２（Ｃ）にお
ける三刺激値ＸＹＺをＲＧＢ値に変換する。
【００９４】
図１３（Ａ）、図１３（Ｂ）、図１３（Ｃ）に、変換後の画素位置（ｉ，ｊ）における
補正前後のＲＧＢ値の一例を示す。図１３（Ａ）〜図１３（Ｃ）において、補正前のＲＧ
Ｂ値を（Ｒ１，Ｇ１，Ｂ１）、補正後のＲＧＢ値を（Ｒ１ｔ，Ｇ１ｔ，Ｂ１ｔ）と表す。
図１３（Ａ）は、Ｒ値の変換結果を表す。図１３（Ｂ）は、Ｇ値の変換結果を表す。図１
３（Ｃ）は、Ｂ値の変換結果を表す。図１３（Ａ）〜図１３（Ｃ）において、横軸に階調
値、縦軸にＲＧＢ値のいずれかを表す。
【００９５】
図１３（Ａ）において、補正前のＲ１の変換結果をプロットしたものがＦＲ１（Ｋｉｊ
）であり、補正後のＲ１ｔの変換結果をプロットしたものがＦＲ１ｔ（Ｋｉｊ）である。
図１３（Ｂ）において、補正前のＧ１の変換結果をプロットしたものがＦＧ１（Ｋｉｊ）
であり、補正後のＧ１ｔの変換結果をプロットしたものがＦＧ１ｔ（Ｋｉｊ）である。図
１３（Ｃ）において、補正前のＢ１の変換結果をプロットしたものがＦＢ１（Ｋｉｊ）で
あり、補正後のＢ１ｔの変換結果をプロットしたものがＦＢ１ｔ（Ｋｉｊ）である。
【００９６】
次に、むら補正ＬＵＴ生成部１７０は、図１３（Ａ）〜図１３（Ｃ）に示す特性曲線を
探索することで、次式のように所望のむら補正目標値（Ｒｔ，Ｇｔ，Ｂｔ）を実現するた
めの補正後の画素値（Ｒｉｊ´，Ｇｉｊ´，Ｂｉｊ´）を求める。
ＦＲ１ｔ（Ｒｉｊ）＝ＦＲ１（Ｒｉｊ´）      ・・・（１０）
ＦＧ１ｔ（Ｇｉｊ）＝ＦＧ１（Ｇｉｊ´）      ・・・（１１）
ＦＢ１ｔ（Ｂｉｊ）＝ＦＢ１（Ｂｉｊ´）      ・・・（１２）
【００９７】
むら補正ＬＵＴ生成部１７０は、式（１０）〜式（１２）により求められた画素値（Ｒ
ｉｊ´，Ｇｉｊ´，Ｂｉｊ´）を用いて、補正量（ΔＫＲｉｊ，ΔＫＧｉｊ，ΔＫＢｉｊ
）を式（１）〜式（３）より算出する。
【００９８】
むら補正ＬＵＴ生成部１７０は、以上のような処理を、画像内の各画素位置において、
階調毎に行う。この結果、むら補正ＬＵＴ生成部１７０は、画素位置（ｉ，ｊ）における
階調値Ｋｉｊの補正量（ΔＫＲｉｊ，ΔＫＧｉｊ，ΔＫＢｉｊ）に対応するむら補正値が
テーブル化されたむら補正ＬＵＴを生成することができる。
【００９９】
以上のような処理を行うむら補正ＬＵＴ生成部１７０は、画像内のすべての画素位置、
すべての階調値における補正量をテーブルとして用意することが理想である。しかしなが
ら、むら補正ＬＵＴ記憶部１１０の記憶容量の削減を目的として、特定の画素位置、階調
値における補正量に対応したむら補正値をテーブル化したむら補正ＬＵＴを用意し、公知
の補間処理により適宜補うようにしてもよい。
【０１００】
〔ＶＴ特性測定処理〕
上記のむら補正処理は、補正前後の三刺激値ＸＹＺの比が維持されていることが望まし
い。しかしながら、補正前後において三刺激値ＸＹＺの比が維持されていなくても、以下
のようにＶＴ特性を測定して、ガンマ補正ＬＵＴを再生成するようにしてもよい。
【０１０１】
図１４に、図３のステップＳ６のＶＴ特性測定処理の処理例のフロー図を示す。画像処
理装置１００が図１４の処理をソフトウェア処理で実現する場合には、画像処理装置１０
０が内蔵するメモリーに下記の処理を実現するプログラムが格納され、該プログラムを読
み込んだＣＰＵが該プログラムに対応した処理を実行する。
【０１０２】
画像処理装置１００は、画像表示装置毎に、グレイの各階調の全画面のべた画像の１つ
をスクリーンＳＣＲに投射させる（ステップＳ６１）。この状態で、画像処理装置１００
は、色度測定装置４００により、例えば画面内の中央部の色度を測定する制御を行い、色
度測定値として取得する（ステップＳ６２）。その後、全測定が終了していないとき（ス
テップＳ６３：Ｎ）、画像処理装置１００は、ステップＳ６１に戻って、次のべた画像を
スクリーンＳＣＲに投射させる。こうして、グレイの各階調の全画面のべた画像の各々に
ついてむら測定値が取得される（ステップＳ６３：Ｙ）と、画像処理装置１００は、ステ
ップＳ６を処理を終了する。
【０１０３】
図１５に、図３のステップＳ７のガンマ補正ＬＵＴ生成処理の処理例のフロー図を示す
。画像処理装置１００が図１５の処理をソフトウェア処理で実現する場合には、画像処理
装置１００が内蔵するメモリーに下記の処理を実現するプログラムが格納され、該プログ
ラムを読み込んだＣＰＵが該プログラムに対応した処理を実行する。
【０１０４】
図３のステップＳ６においてＶＴ特性が測定されると、ガンマ補正ＬＵＴ生成部１８０
は、予め決められた階調に対応したＬＵＴ格子点の中から１つの階調を設定する（ステッ
プＳ７１）。次に、ガンマ補正ＬＵＴ生成部１８０は、ステップＳ７１で設定された階調
に対応したＶＴ特性を探索して、ガンマ補正ＬＵＴとして設定されるガンマ補正値を決定
する処理を行う（ステップＳ７２）。ガンマ補正ＬＵＴ生成部１８０は、ＬＵＴ格子点の
全階調についてガンマ補正値が決定されていないとき（ステップＳ７３：Ｎ）、ステップ
Ｓ７１に戻り、次のガンマ補正値を決定する処理を繰り返す。こうして、ガンマ補正ＬＵ
Ｔ生成部１８０は、ＬＵＴ格子点の全階調についてガンマ補正値を決定し、ガンマ補正値
をテーブル化したガンマ補正ＬＵＴを生成する。
【０１０５】
以上説明したように、実施形態１によれば、スタック画像のむら補正を行う際に、各画
像表示装置に対する補正量のバランスを好ましくできるので、正しいむら補正を行うこと
ができるようになる。
【０１０６】
〔その他〕
なお、実施形態１では、２台の画像表示装置を用いてスタック画像を表示する例につい
て説明したが、画像表示装置の数に限定されるものではない。ｎ（ｎは３以上の整数）台
の画像表示装置を用いてスタック画像を表示する場合も、上記と同様にむら補正目標値を
算出することで、同様の効果を得ることができる。この場合、ｍ（ｍ＝１〜ｎ）台目の画
像表示装置に対するむら補正目標値は、画素位置を２次元座標（ｘ，ｙ）で表すと次式で
表される。なお、式（１３）は、Ｐ１（ｘ，ｙ）〜Ｐｎ（ｘ，ｙ）の総和を示す。
ΣＰｔｏｔａｌ（ｘ，ｙ）＝Ｐ１（ｘ，ｙ）＋Ｐ２（ｘ，ｙ）＋…＋Ｐｎ（ｘ，ｙ）・
・・（１３）
Ｐｍｔａｒｇｅｔ（ｘ，ｙ）＝Ｐｍ（ｘ，ｙ）／ΣＰｔｏｔａｌ（ｘ，ｙ）×Ｐｔａｒ
ｇｅｔ（ｘ，ｙ）      ・・・（１４）
【０１０７】
ｎ台の画像表示装置を用いて表示したスタック画像についても、上記と同様に、各画像
表示装置に対する補正量のバランスを好ましくできるので、正しいむら補正を行うことが
できるようになる。
【０１０８】
２．  実施形態２
実施形態１におけるむら補正処理において、むら補正後の黒浮きを防ぐことが望ましい
。例えば、黒では明るくする方向でのむら補正を行わないようにすることで、むら補正後
の黒浮きを防ぐことができる。
【０１０９】
図１６に、図６の黒付近を拡大したむら補正処理部の動作説明図を示す。
【０１１０】
図１６に示すように、黒のみならず黒よりも明るい階調でも、暗くする方向にむら補正
処理を行うことで、黒浮きを防ぐことができる。ところが、スタック状態でのむら補正目
標値Ｐｔａｒｇｅｔについて、実施形態１をそのまま適用すると、正しくむら補正ができ
ないことがある。
【０１１１】
図１７（Ａ）、図１７（Ｂ）に、図１６の黒付近の強度に対するむら補正処理の説明図
を示す。図１７（Ａ）は、正しくむら補正を行うことができない場合を模式的に表す。図
１７（Ｂ）は、正しくむら補正を行うことができる場合を模式的に表す。
【０１１２】
実施形態１によれば、スタック状態でのむら補正目標値Ｐｔａｒｇｅｔにより、むら補
正目標値Ｐ１ｔａｒｇｅｔ、Ｐ２ｔａｒｇｅｔが定まる。このとき、図１７（Ｂ）に示す
ように、各画像表示装置に対してむら補正目標値Ｐ１ｔａｒｇｅｔ、Ｐ２ｔａｒｇｅｔが
定まると、むら補正後の階調を特定できるため、むら補正値を算出できる。これに対して
、図１７（Ａ）に示す場合には、第１の画像表示装置ＰＪ１に対してはむら補正値を算出
できるものの、第２の画像表示装置ＰＪ２に対しては出力すべき階調が存在せず、むら補
正値を算出することができない。
【０１１３】
そこで、実施形態２におけるむら補正目標値算出部は、各画像における色特性値を、黒
の色特性値（強度）を基準とする。即ち、実施形態２におけるむら補正目標値算出部は、
基準測定値としての黒の色特性値を基準とした各画像における色特性値の比に応じて、各
画像表示装置に対応するむら補正目標値を算出する。より具体的には、第１の画像表示装
置ＰＪ１の黒の強度をＰ１ｋ（ｘ）、第２の画像表示装置ＰＪ２の黒の強度をＰ２ｋ（ｘ
）とすると、Ｐ１（ｘ）、Ｐ２（ｘ）に代えて、Ｐ１（ｘ）、Ｐ２（ｘ）からそれぞれ黒
の強度を減算したＰ１´（ｘ）、Ｐ２´（ｘ）を採用する。
Ｐ１’（ｘ）＝Ｐ１（ｘ）−Ｐ１ｋ（ｘ）      ・・・（１５）
Ｐ２’（ｘ）＝Ｐ２（ｘ）−Ｐ２ｋ（ｘ）      ・・・（１６）
【０１１４】
そして、スタック状態でのむら補正目標値Ｐｔａｒｇｅｔ´（ｘ）から、Ｐ１ｔａｒｇ
ｅｔ（ｘ）、Ｐ２ｔａｒｇｅｔ（ｘ）を算出する。
Ｐｔａｒｇｅｔ’（ｘ）＝Ｐｔａｒｇｅｔ（ｘ）−（Ｐ１ｋ（ｘ）＋Ｐ２ｋ（ｘ））・
・・（１７）
Ｐ１ｔａｒｇｅｔ（ｘ）＝Ｐ１’（ｘ）／（Ｐ１’（ｘ）＋Ｐ２’（ｘ））×Ｐｔａｒ
ｇｅｔ’（ｘ）＋Ｐ１ｋ（ｘ）      ・・・（１８）
Ｐ２ｔａｒｇｅｔ（ｘ）＝Ｐ２’（ｘ）／（Ｐ１’（ｘ）＋Ｐ２’（ｘ））×Ｐｔａｒ
ｇｅｔ’（ｘ）＋Ｐ２ｋ（ｘ）      ・・・（１９）
【０１１５】
即ち、実施形態２におけるむら補正目標値算出部は、むら補正目標値を黒の色特性値を
基準とすることにより、むら補正目標値を黒の色特性値からの増分に変換し、それを各画
像表示装置の黒からの色特性値の増分の比に基づいて分配する。その結果、図１７（Ａ）
に示すように、第１の画像表示装置ＰＪ１及び第２の画像表示装置ＰＪ２において、共に
正しいむら補正を行うことができるようになる。
【０１１６】
なお、所定の階調を判別して、式（１７）〜式（１９）を用いて黒付近の階調について
のみ適用するようにしてもよいが、処理の簡素化を図るために、黒付近に限らず全階調に
ついて一律に適用することが望ましい。
【０１１７】
〔その他〕
なお、実施形態２では、２台の画像表示装置を用いてスタック画像を表示する例につい
て説明したが、画像表示装置の数に限定されるものではない。ｎ（ｎは３以上の整数）台
の画像表示装置を用いてスタック画像を表示する場合も、上記と同様にむら補正目標値を
算出することで、同様の効果を得ることができる。この場合、ｍ（ｍ＝１〜ｎ）台目の画
像表示装置に対するむら補正目標値Ｐｍｔａｒｇｅｔは、画素位置を２次元座標（ｘ，ｙ
）で表すと次式で表される。なお、式（２２）は、Ｐ１ｋ（ｘ，ｙ）〜Ｐｎｋ（ｘ，ｙ）
の総和を示し、式（２３）は、Ｐ１´（ｘ，ｙ）〜Ｐｎ´（ｘ，ｙ）の総和を示す。
Ｐｍ’（ｘ，ｙ）＝Ｐｍ（ｘ，ｙ）−Ｐｍｋ（ｘ，ｙ）    ・・・（２０）
ΣＰｔｏｔａｌｋ（ｘ，ｙ）＝Ｐ１ｋ（ｘ，ｙ）＋Ｐ２ｋ（ｘ，ｙ）＋…＋Ｐｎｋ（ｘ
，ｙ）    ・・・（２１）
Ｐｔａｒｇｅｔ’（ｘ，ｙ）＝Ｐｔａｒｇｅｔ（ｘ，ｙ）−ΣＰｔｏｔａｌｋ（ｘ，  
ｙ）    ・・・（２２）
ΣＰｔｏｔａｌ’（ｘ，ｙ）＝Ｐ１’（ｘ，ｙ）＋Ｐ２’（ｘ，ｙ）＋…＋Ｐｎ’（ｘ
，ｙ）    ・・・（２３）
Ｐｍｔａｒｇｅｔ（ｘ，ｙ）＝Ｐｍ’（ｘ，ｙ）／ΣＰｔｏｔａｌ’（ｘ，ｙ）×Ｐｔ
ａｒｇｅｔ’（ｘ，ｙ）＋Ｐｍｋ（ｘ，ｙ）    ・・・（２４）
【０１１８】
以上説明したように、実施形態２によれば、実施形態１の効果に加えて、黒浮きを防ぐ
むら補正処理が可能となる。
【０１１９】
３．  実施形態３
実施形態１又は実施形態２では、それぞれが画像形成部を有する２台の画像表示装置に
外付けの画像処理装置を接続する構成を例に説明したが、本発明は実施形態１又は実施形
態２における画像表示システムに限定されるものではない。例えば、筐体内に複数の画像
形成部を有し、筐体内で各画像形成部からの画像光を合成してスクリーンＳＣＲに投射す
る画像表示システムにも、本発明を提供することができる。この場合、実施形態１又は実
施形態２の「画像表示装置」の語句を「画像形成部」に置き換えて適用することで、同様
の効果を得ることができる。
【０１２０】
図１８に、実施形態３における画像表示システムの構成例のブロック図を示す。図１８
において、図１と同一部分には同一符号を付し、適宜説明を省略する。なお、第１の画像
形成部及び第２の画像形成部の構成については、上面から見た構成を模式的に表す。
【０１２１】
画像表示装置ＰＪは、第１の画像形成部５００、第２の画像形成部６００、画像処理部
７００（画像処理装置）、偏光合成プリズム（Polarization Beam Splitter：ＰＢＳ）７
８０、投射レンズ７９０を含む。この画像表示装置ＰＪは、第１の画像形成部５００及び
第２の画像形成部６００により形成される２つの画像を重ね合わせて投射することにより
、スクリーンＳＣＲにスタック画像を表示することができるようになっている。
【０１２２】
第１の画像形成部５００の構成は、第２の画像形成部６００の構成と同様である。画像
処理部７００は、実施形態１又は実施形態２における画像処理装置１００の機能を有する
。
【０１２３】
図１９に、図１８の第１の画像形成部５００の構成例を示す。図１９は、第１の画像形
成部５００を上面から見た構成を模式的に表す。
【０１２４】
第１の画像形成部５００は、光源部５１０、インテグレーターレンズ５１２、５１４、
偏光変換素子５１６、重畳レンズ５１８、第１の色光用ダイクロイックミラー５２０１、
第２の色光用ダイクロイックミラー５２０２、反射ミラー５２２、第１の色光用フィール
ドレンズ５２４１、第２の色光用フィールドレンズ５２４２、第１の色光用液晶パネル５
３０１、第２の色光用液晶パネル５３０２、第３の色光用液晶パネル５３０３、リレー光
学系５４０、クロスダイクロイックプリズム５６０（色合成プリズム）を含む。第１の色
光用液晶パネル５３０１、第２の色光用液晶パネル５３０２及び第３の色光用液晶パネル
５３０３として用いられる液晶パネルは、透過型の液晶表示装置である。リレー光学系５
４０は、リレーレンズ５４２、５４４、５４６、反射ミラー５４８、５５０を含む。
【０１２５】
光源部５１０は、例えば超高圧水銀ランプにより構成され、少なくとも第１の色光（Ｃ
１）、第２の色光（Ｃ２）、第３の色光（Ｃ３）を含む光を射出する。インテグレーター
レンズ５１２は、光源部５１０からの光を複数の部分光に分割するための複数の小レンズ
を有する。インテグレーターレンズ５１４は、インテグレーターレンズ５１２の複数の小
レンズに対応する複数の小レンズを有する。重畳レンズ５１８は、インテグレーターレン
ズ５１２の複数の小レンズから射出される部分光を液晶パネル上で重畳する。偏光変換素
子５１６は、偏光ビームスプリッターアレイとλ／２板とを有し、光源部５１０からの光
を略一種類の偏光光に変換する。偏光ビームスプリッターアレイは、インテグレーターレ
ンズ５１２により分割された部分光をｐ偏光とｓ偏光に分離する偏光分離膜と、偏光分離
膜からの光の向きを変える反射膜とを、交互に配列した構造を有する。偏光分離膜で分離
された２種類の偏光光は、λ／２板によって偏光方向が揃えられる。この偏光変換素子５
１６によって略一種類の偏光光に変換された光が、重畳レンズ５１８に照射される。
【０１２６】
重畳レンズ５１８からの光は、第１の色光用ダイクロイックミラー５２０１に入射され
る。第１の色光用ダイクロイックミラー５２０１は、第１の色光を反射して、第２の色光
及び第３の色光を透過させる機能を有する。第１の色光用ダイクロイックミラー５２０１
を透過した光は、第２の色光用ダイクロイックミラー５２０２に照射され、第１の色光用
ダイクロイックミラー５２０１により反射した光は反射ミラー５２２により反射されて第
１の色光用フィールドレンズ５２４１に導かれる。
【０１２７】
第２の色光用ダイクロイックミラー５２０２は、第２の色光を反射して、第３の色光を
透過させる機能を有する。第２の色光用ダイクロイックミラー５２０２を透過した光は、
リレー光学系５４０に入射され、第２の色光用ダイクロイックミラー５２０２により反射
した光は第２の色光用フィールドレンズ５２４２に導かれる。
【０１２８】
リレー光学系５４０では、第２の色光用ダイクロイックミラー５２０２を透過した第３
の色光の光路長と他の第１の色光及び第２の色光の光路長との違いをできるだけ小さくす
るために、リレーレンズ５４２、５４４、５４６を用いて光路長の違いを補正する。リレ
ーレンズ５４２を透過した光は、反射ミラー５４８によりリレーレンズ５４４に導かれる
。リレーレンズ５４４を透過した光は、反射ミラー５５０によりリレーレンズ５４６に導
かれる。リレーレンズ５４６を透過した光は、第３の色光用液晶パネル５３０３に照射さ
れる。
【０１２９】
第１の色光用フィールドレンズ５２４１に照射された光は、平行光に変換されて第１の
色光用液晶パネル５３０１に入射される。第１の色光用液晶パネル５３０１は、光変調部
（光変調素子）として機能し、画像処理部７００からの画像信号を構成する第１の色光用
画像信号に基づいて透過率（通過率、変調率）が変化するようになっている。従って、第
１の色光用液晶パネル５３０１に入射された光は、第１の色光用画像信号に基づいて変調
され、変調後の光がクロスダイクロイックプリズム５６０に入射される。第２の色光用フ
ィールドレンズ５２４２に照射された光は、平行光に変換されて第２の色光用液晶パネル
５３０２に入射される。第２の色光用液晶パネル５３０２は、光変調部として機能し、画
像処理部７００からの画像信号を構成する第２の色光用画像信号に基づいて透過率が変化
するようになっている。従って、第２の色光用液晶パネル５３０２に入射された光は、第
２の色光用画像信号に基づいて変調され、変調後の光がクロスダイクロイックプリズム５
６０に入射される。リレーレンズ５４２、５４４、５４６で平行光に変換された光が照射
される第３の色光用液晶パネル５３０３は、光変調部として機能し、画像処理部７００か
らの画像信号を構成する第３の色光用画像信号に基づいて透過率が変化するようになって
いる。従って、第３の色光用液晶パネル５３０３に入射された光は、第３の色光用画像信
号に基づいて変調され、変調後の光がクロスダイクロイックプリズム５６０に入射される
。
【０１３０】
第１の色光用液晶パネル５３０１、第２の色光用液晶パネル５３０２、第３の色光用液
晶パネル５３０３は、それぞれ同様の構成を有している。各液晶パネルは、電気光学物質
である液晶を一対の透明なガラス基板に密閉封入したものであり、例えばポリシリコン薄
膜トランジスターをスイッチング素子として、画像信号に対応して各色光の通過率を変調
する。
【０１３１】
クロスダイクロイックプリズム５６０は、第１の色光用液晶パネル５３０１、第２の色
光用液晶パネル５３０２及び第３の色光用液晶パネル５３０３からの入射光を合成した合
成光を出射光として出力する機能を有する。
【０１３２】
このように、第１の画像形成部５００のクロスダイクロイックプリズム５６０によって
、変調後の各色光が合成されて、画像光が生成される。
【０１３３】
一方、第２の画像形成部６００は、図１９に示す第１の画像形成部５００と同様の構成
を有しており、第２の画像形成部６００のクロスダイクロイックプリズムによって、変調
後の各色光が合成されて画像光が生成される。
【０１３４】
このような構成において、第１の画像形成部５００の光学系と第２の画像形成部６００
の光学系とが反転している。そのため、第１の画像形成部５００に供給される画像信号に
より表される画像の画素の並びと水平方向に反対方向の画素の並びの画像信号を、第２の
画像形成部６００に対して供給することで、第１の画像形成部５００により形成される画
像の向きと第２の画像形成部６００により形成される画像の向きとを揃えることができる
。従って、画像処理部７００は、互いに画素が画像の水平方向に反対方向に並ぶ画像信号
を、第１の画像形成部５００及び第２の画像形成部６００の各々に対して出力することが
できるようになっている。
【０１３５】
偏光合成プリズム（合成部）７８０は、第１の画像形成部５００からの画像光と、第２
の画像形成部６００からの画像光とを合成して、合成光を投射レンズ７９０に照射する。
投射レンズ７９０は、偏光合成プリズム７８０からの合成光を拡大投射して、スクリーン
ＳＣＲに画像を表示する。
【０１３６】
従って、１つの筐体内に収容される第１の画像形成部５００及び第２の画像形成部６０
０の各々によって形成された画像を重ねてスクリーンＳＣＲに投射することで、スタック
画像が表示される。このとき、画像処理部７００において、実施形態１又は実施形態２で
説明したむら補正を行うことで、実施形態１又は実施形態２と同様の効果を得ることがで
きる。
【０１３７】
なお、実施形態１又は実施形態２における第１の画像表示装置ＰＪ１及び第２の画像表
示装置ＰＪ２の各々は、図１９に示す構成の画像形成部を含み、該画像形成部によって形
成された画像に対応した画像光を投射レンズにより拡大投射して、スクリーンＳＣＲに画
像を表示することができる。
【０１３８】
以上、本発明に係る画像処理装置、画像表示システム、画像処理方法及びむら補正値生
成方法等を上記のいずれかの実施形態形に基づいて説明したが、本発明は上記のいずれか
の実施形態に限定されるものではなく、その要旨を逸脱しない範囲において種々の態様に
おいて実施することが可能であり、例えば次のような変形も可能である。
【０１３９】
（１）上記の実施形態では、画像表示装置を例に説明したが、本発明はこれに限定され
るものではない。画像信号に基づいて画像を重ねて表示する装置全般に本発明を適用する
ことができることは言うまでもない。
【０１４０】
（２）上記の実施形態では、画像形成部が、いわゆる３板式の透過型の液晶パネルを用
いたライトバルブにより構成される例を説明したが、単板式の液晶パネルや２板又は４板
式以上の透過型の液晶パネルを用いたライトバルブを採用することができる。また、光変
調素子として透過型の液晶パネルを用いたライトバルブを用いるものとして説明したが、
本発明はこれに限定されるものではない。光変調素子として、例えばＤＬＰ（Digital Li
ght Processing)（登録商標）、ＬＣＯＳ（Liquid Crystal On Silicon）等を採用しても
よい。
【０１４１】
（３）上記の実施形態では、むら補正処理後に各画像表示装置による画像を測定してＶ
Ｔ特性を取得して、画像表示素値毎にガンマ補正ＬＵＴを生成するものとして説明したが
、本発明はこれに限定されるものではない。例えば、むら補正処理後に、第１の画像表示
装置及び第２の画像表示装置によるスタック画像に対してＶＴ特性を測定して、各画像表
示装置に共通のガンマ補正ＬＵＴを生成するようにしてもよい。
【０１４２】
（４）上記の実施形態において、本発明を、画像処理装置、画像表示システム、画像処
理方法及びむら補正値生成方法等として説明したが、本発明はこれに限定されるものでは
ない。例えば、本発明に係る画像処理方法やむら補正値生成方法の処理手順が記述された
プログラム、本発明を実現するための画像表示装置の処理方法（画像表示方法）の処理手
順が記述されたプログラム、これらのいずれかのプログラムが記録された記録媒体であっ
てもよい。
【符号の説明】
【０１４３】
１０…画像表示システム、  １００…画像処理装置、  １１０…むら補正ＬＵＴ記憶部、
１２０…むら補正処理部、  １３０…画像補正部、  １４０…ガンマ補正ＬＵＴ記憶部、
１５０…ガンマ補正部、  １６０…むら補正目標値算出部、
１７０…むら補正ＬＵＴ生成部、  １８０…ガンマ補正ＬＵＴ生成部、
２００…画像信号供給装置、  ３００…むら測定装置、  ４００…色度測定装置、
５００…第１の画像形成部、  ６００…第２の画像形成部、  ７００…画像処理部、
７８０…ＰＢＳ、  ７９０…投射レンズ、  ＰＪ…画像表示装置、
ＰＪ１…第１の画像表示装置、  ＰＪ２…第２の画像表示装置、  ＳＣＲ…スクリーン
【図１】
2011150110.tif 000003
【図２】
2011150110.tif 000004
【図３】
2011150110.tif 000005
【図４】
2011150110.tif 000006
【図５】
2011150110.tif 000007
【図６】
2011150110.tif 000008
【図７】
2011150110.tif 000009
【図８】
2011150110.tif 000010
【図９】
2011150110.tif 000011
【図１０】
2011150110.tif 000012
【図１１】
2011150110.tif 000013
【図１２】
2011150110.tif 000014
【図１３】
2011150110.tif 000015
【図１４】
2011150110.tif 000016
【図１５】
2011150110.tif 000017
【図１６】
2011150110.tif 000018
【図１７】
2011150110.tif 000019
【図１８】
2011150110.tif 000020
【図１９】
2011150110.tif 000021